(57)【要約】【課題】排泄物を収容する貯留ポット（バケツ）から飛び散った汚水による椅子部材の傷みや臭いの発生を防止する。【解決手段】支持部材２１Ａの前部２１Ｂには、椅子部材２０Ａの前側フレーム部２００の上面および前面を覆うカバー部２１０が設けられている。カバー部２１０は、椅子部材２０Ａの前側フレーム部２００の上面２０２全体を覆うように延在する上面カバー部２１０ａと、この上面カバー部２１０ａの先端が前側フレーム部２００の前面２０４に沿うように折り曲げられて所定の長さだけ下方に延在する前面カバー部２１０ｂとから構成されている。これにより、貯留ポット５Ａから漏れ出した汚水を前側フレーム部２００に直接触れさせることなく、床に流す（誘導させる）ことができ、木製材料からなる前側フレーム部２００への汚水の染み込みを回避でき、前側フレーム部２００の染み込みによる臭いの発生や傷みを防止することができる。【選択図】図２３
2013116198.tif 000002
【特許請求の範囲】
【請求項１】
フレーム部を有する椅子部材と、
前記椅子部材の前記フレーム部に取り付けられた支持部材と、
前記支持部材に着脱可能に設けられ、上部に形成された開口部を介して排泄物を受容して貯留する貯留ポットと、
前記貯留ポットの前記開口部を開閉可能に設けられたポット蓋とを備え、
前記支持部材の前部には、当該支持部材の前部を支持する前記椅子部材の前記フレーム部の上面および前面を覆うカバー部が設けられた
ことを特徴とするトイレ装置。
【請求項２】
前記椅子部材の後部に回動可能に取り付けられた便座を備え、
前記支持部材は、前記便座を載置した状態に支持するとともに、前記支持部材の後部であって前記便座に対向した面には、前記便座の裏面から落ちてくる前記排泄物を受けるための凹部が設けられた
ことを特徴とする請求項１に記載のトイレ装置。
【請求項３】
前記貯留ポットの前記開口部に嵌まる前記ポット蓋を上下動させると共に前記ポット蓋を前記支持部材の後部に設けられたポット蓋開口部を介して横動させて、前記貯留ポットの前記開口部を開閉するポット蓋駆動手段と、
前記ポット蓋駆動手段の動作で前記ポット蓋の横動方向に沿った一の方向に往復移動する駆動力伝達手段と、前記ポット蓋に設けた駆動力受け手段とを係合させて、前記ポット蓋駆動手段で前記ポット蓋を開閉させると共に、前記ポット蓋で前記開口部が閉塞された前記貯留ポットの前記支持部材に対する着脱及び前記支持部材に支持された前記貯留ポットに対する前記ポット蓋の着脱に伴って、前記ポット蓋を前記ポット蓋駆動手段に対して係脱させる係脱手段と、
前記ポット蓋駆動手段を駆動して前記ポット蓋を開閉する動作と前記ポット蓋を非開閉とする動作とを切り替える切替手段と備える
ことを特徴とする請求項１または請求項２に記載のトイレ装置。
【請求項４】
前記椅子部材は、木製の材料からなる
ことを特徴とする請求項１から請求項３の何れか一項に記載のトイレ装置。
【発明の詳細な説明】
【技術分野】
【０００１】
本発明は、居室等に設置されて使用されるトイレ装置に関する。
【背景技術】
【０００２】
近年、少子高齢化時代の到来に伴い、体が不自由で自由に行動ができない高齢者の介護等が大きな社会問題となりつつある。このような介護に際しては、被介護者の排尿や排便の処理が重要な問題となっている。これは、被介護者は自由に行動ができないため、家屋内の既設のトイレまで自力で移動することが困難な場合が多いからである。そのため、体が不自由等の高齢者に対しては、寝室や病室等の室内に設置することが可能なポータブルトイレ装置が広く利用されている。また、このようなポータブルトイレ装置は、体が不自由等の高齢者だけでなく、怪我や病気等で移動が困難な場合に利用されたり、携帯用のトイレとしても利用されている。
【０００３】
ポータブルトイレ装置は、椅子部材と、この椅子部材に取り付けられた支持部材と、この支持部材に着脱可能に装着される貯留ポット（バケツ）と、椅子部材に回動可能に取り付けられた便座とを備えている。例えば特許文献１には、把手を持って容器本体を引き上げた場合に、容器本体が回動して容器本体内の排泄物が漏れないような回動阻止手段を設けたポータブルトイレ装置が提案されている。
【０００４】
ここで、ポータブルトイレ装置の支持部材には、排尿等の使用中に貯留ポットから外に飛び散った汚水を溜めるための汚水受け部が設けられている。この汚水受け部は、貯留ポットが装着される貯留ポット用の開口部周辺に設けられており、使用時に貯留ポットの外に飛び散った汚水を収容することで、汚水が椅子部材にこぼれたり、床に落ちてしまうことを防止している。
【先行技術文献】
【特許文献】
【０００５】
【特許文献１】特許第４５０７７９４号
【発明の概要】
【発明が解決しようとする課題】
【０００６】
しかしながら、従来のポータブルトイレ装置では、以下のような問題がある。すなわち、従来のポータブルトイレ装置の汚水受け部では、その前部側が椅子部材の前部上面までしか覆われた構造となっておらず、椅子部材の前面側までは覆われていない。そのため、排尿の勢いが強い場合や排尿の射出角度によっては汚水が汚水受け部から漏れ出してしまう場合があり、この場合には漏れ出した汚水が露出した椅子部材の前面部分に付いてしまうと共に、その汚水が椅子部材の前面から椅子部材の脚を伝って床面に落ちてしまうという問題がある。
【０００７】
介護用として使用されるポータブルトイレ装置は、居室に設置してもトイレ装置として分かりにくくするために家具調とする場合が多く、椅子部材の材質としては木製の材料が利用されている。したがって、椅子部材が木製である場合には、汚水が特に染み付きやすくなるため、その染み付いた汚水の臭いによって居室内がいつも臭ってしまうという問題がある。また、汚水の染み込みにより、木製で構成される椅子部材が傷んで腐食してしまうという問題もある。
【０００８】
そこで、本発明は、上記課題に鑑みてなされたものであり、その目的は、排泄物を収容する貯留ポットから飛び散った汚水による椅子部材の傷みや臭いの発生を防止することが可能なトイレ装置を提供することにある。
【課題を解決するための手段】
【０００９】
本発明は、上記課題を解決するために、フレーム部を有する椅子部材と、椅子部材のフレーム部に取り付けられた支持部材と、支持部材に着脱可能に設けられ、上部に形成された開口部を介して排泄物を受容して貯留する貯留ポットと、貯留ポットの開口部を開閉可能に設けられたポット蓋とを備え、支持部材の前部に当該支持部材の前部を支持する椅子部材のフレーム部の上面および前面を覆うカバー部が設けられたものである。本発明において排泄物とは、排便や排尿時に排出される物質を含むものである。
【発明の効果】
【００１０】
本発明によれば、椅子部材のフレーム部の上面および前面を覆うカバー部を設けるので、便座に着座状態で排便、排尿した際に勢いが良すぎて溢れ出した排尿をカバー部を伝わせて床に落とすことができる。その結果、フレーム部に汚水が付着したり、染み込むことを防止でき、椅子部材のフレーム部に付着したり、染み込んだりするような汚水による臭いの発生や椅子部材の傷みや腐食の発生を回避することができる。
【図面の簡単な説明】
【００１１】
【図１】本実施の形態のトイレ装置の一例を示す断面図である。
【図２】本実施の形態のトイレ装置の一例を示す斜視図である。
【図３】本実施の形態のトイレ装置の一例を示す破断斜視図である。
【図４】本実施の形態の貯留ポット及びポット蓋の一例を示すポット蓋を閉じた状態の斜視図である。
【図５】本実施の形態の貯留ポット及びポット蓋の一例を示すポット蓋を閉じた状態の断面図である。
【図６】本実施の形態の貯留ポット及びポット蓋の一例を示すポット蓋を開けた状態の斜視図である。
【図７】本実施の形態の貯留ポット及びポット蓋の一例を示すポット蓋の分解斜視図である。
【図８】本実施の形態の貯留ポット及びポット蓋の一例を示す貯留ポットの分解斜視図である。
【図９】本実施の形態のポット蓋駆動機構の一例を示すトイレ装置の全体斜視図である。
【図１０】本実施の形態のポット蓋駆動機構の一例を示す側面図である。
【図１１】本実施の形態のポット蓋駆動機構の一例を示す要部斜視図である。
【図１２】本実施の形態のポット蓋駆動機構の一例を示す要部斜視図である。
【図１３】本実施の形態の係脱機構の一例を示す要部断面図である。
【図１４】ポット蓋カバーの一例を示すトイレ装置の断面図である。
【図１５】ポット蓋カバーの一例を示すトイレ装置の断面図である。
【図１６】ポット蓋カバーの一例を示すトイレ装置の断面図である。
【図１７】本実施の形態のシャッタの一例を示すトイレ装置の斜視図である。
【図１８】本実施の形態のシャッタの一例を示すトイレ装置の斜視図である。
【図１９】本実施の形態のシャッタの一例を示す要部断面図である。
【図２０】本実施の形態のシャッタの一例を示す要部断面図である。
【図２１】本発明の実施の形態の支持部材の構成の一例を示す斜視図である。
【図２２】本発明の実施の形態の支持部材の構成の一例を示す平面図である。
【図２３】本発明の実施の形態の支持部材のカバー部の構成の一例を示す斜視図である。
【図２４】本発明の実施の形態の支持部材の凹部の構成の一例を示す斜視図である。
【図２５】本発明の実施の形態の凹部の機能の一例を説明するための図である。
【図２６】本実施の形態のトイレ装置における切替機構の動作の一例を示す断面図である。
【図２７】本実施の形態のトイレ装置における切替機構の動作の一例を示す断面図である。
【図２８】本実施の形態のトイレ装置の動作の一例を示す断面図である。
【図２９】本実施の形態のトイレ装置の動作の一例を示す断面図である。
【図３０】本実施の形態のトイレ装置の動作の一例を示す斜視図である。
【図３１】本実施の形態のトイレ装置の動作の一例を示す斜視図である。
【図３２】本実施の形態のトイレ装置の動作の一例を示す斜視図である。
【図３３】本実施の形態のトイレ装置の動作の一例を示す平面図である。
【図３４】本実施の形態のトイレ装置の動作の一例を示す平面図である。
【図３５】本実施の形態のトイレ装置の動作の一例を示す平面図である。
【図３６】本実施の形態のトイレ装置における切替機構の動作の一例を示す断面図である。
【図３７】本実施の形態のトイレ装置における切替機構の動作の一例を示す断面図である。
【図３８】本実施の形態のトイレ装置における貯留ポットを取り外す動作の一例を示す断面図である。
【図３９】本実施の形態のトイレ装置における貯留ポットを取り外す動作の一例を示す断面図である。
【図４０】本実施の形態のトイレ装置における貯留ポットを取り外す動作の一例を示す断面図である。
【図４１】本実施の形態のトイレ装置における貯留ポットを取り付ける動作の一例を示す断面図である。
【図４２】本実施の形態のトイレ装置における貯留ポットを取り付ける動作の一例を示す断面図である。
【発明を実施するための形態】
【００１２】
以下、図面を参照して、本発明のトイレ装置の実施の形態について説明する。
【００１３】
＜本実施の形態のトイレ装置の構成例＞
図１は、本実施の形態のトイレ装置の一例を示す断面図、図２は、本実施の形態のトイレ装置の一例を示す斜視図、図３は、本実施の形態のトイレ装置の一例を示す破断斜視図である。
【００１４】
まず、本実施の形態のトイレ装置１Ａの概要について説明すると、トイレ装置１Ａは、本例では椅子型を成す本体部２Ａと、本体部２Ａに回動動作で開閉可能に設けられ、閉じた状態とすることで使用者が着座して用便可能な便座３Ａと、本体部２Ａに設けられ、便座３Ａを開閉可能に覆う座面部４Ａを備える。
【００１５】
また、トイレ装置１Ａは、本体部２Ａに着脱可能に支持されると共に、排泄物を受容して貯留する貯留ポット５Ａと、貯留ポット５Ａに着脱可能に設けられるポット蓋６Ａを備える。
【００１６】
トイレ装置１Ａは、トイレ装置１Ａの使用に伴う人の操作、本例では、座面部４Ａを開閉する動作で、貯留ポット５Ａに対してポット蓋６Ａが開閉される。トイレ装置１Ａでは、便座３Ａの下側で、ポット蓋６Ａを上下方向に移動させる動作と、本体部２Ａの後方へポット蓋６Ａを移動させる動作を組み合わせて、貯留ポット５Ａに対してポット蓋６Ａが開閉される。
【００１７】
そこで、トイレ装置１Ａは、トイレ装置１Ａの使用に伴い座面部４Ａを開閉する動作が伝達され、便座３Ａの下側でポット蓋６Ａを開閉するポット蓋駆動機構７Ａを備える。
【００１８】
また、トイレ装置１Ａは、ポット蓋駆動手段の一例として、ポット蓋６Ａとポット蓋駆動機構７Ａを係合して駆動力を伝達すると共に、ポット蓋６Ａとポット蓋駆動機構７Ａを係脱させる係脱機構８Ａを備える。更に、トイレ装置１Ａは、座面部４Ａを開閉する動作のポット蓋駆動機構７Ａへの伝達と非伝達が、所定の操作で切り替えられる切替機構９Ａを備える。
【００１９】
これにより、トイレ装置１Ａでは、所定の操作による切替機構９Ａの動作によって、座面部４Ａを開閉する動作をポット蓋駆動機構７Ａでポット蓋６Ａに伝達する設定とすると、座面部４Ａの開閉により、便座３Ａが閉じた状態で、便座３Ａの下側でポット蓋６Ａを開閉させて、トイレとしての使用が可能になる。
【００２０】
また、トイレ装置１Ａでは、所定の操作による切替機構９Ａの動作によって、座面部４Ａを開閉する動作をポット蓋６Ａに非伝達にする設定とすると、座面部４Ａの開閉によりポット蓋６Ａは開閉しない。
【００２１】
これにより、座面部４Ａを開けると共に、便座３Ａを開けることで、ポット蓋６Ａで閉塞された貯留ポット５Ａを、本体部２Ａに対してポット蓋６Ａと共に着脱可能とする。また、便座３Ａを開けることで、貯留ポット５Ａに対してポット蓋６Ａを単体で着脱することも可能である。
【００２２】
＜本実施の形態の本体部の構成例＞
次に、各図を参照して、本実施の形態の本体部２Ａについて説明する。本体部２Ａは、脚部及び背もたれ部を有した椅子部材２０Ａと、椅子部材２０Ａに取り付けられ、貯留ポット５Ａを着脱可能に支持する支持部材２１Ａを備える。椅子部材２０Ａは、本例では、脚部及び背もたれ部等が木で構成される。
【００２３】
支持部材２１Ａは、貯留ポット５Ａが嵌まる開口を設けて構成され、貯留ポット５Ａを上下方向に移動させることで着脱可能とする支持部２２Ａを備える。また、支持部材２１Ａは、支持部２２Ａの上方に凹状の空間を設けて構成され、支持部２２Ａに支持された貯留ポット５Ａに対してポット蓋６Ａを上下方向に移動可能とすると共に、貯留ポット５Ａに対して上方に移動したポット蓋６Ａを横方向、本例では後方に移動可能とする開閉空間２３Ａを備える。
【００２４】
更に、支持部材２１Ａは、開閉空間２３Ａの後方に、ポット蓋駆動機構７Ａの動作で貯留ポット５Ａを開閉するポット蓋６Ａが出し入れされるポット蓋開口部２４Ａを備える。
【００２５】
本体部２Ａは、ポット蓋６Ａの開閉動作に連動して開閉するポット蓋カバー２５を備える。ポット蓋カバー２５は、本体部２Ａの後側に設けられ、本体部２Ａの後側を覆うと共に、ポット蓋駆動機構７Ａの動作によるポット蓋６Ａの開閉動作に連動して開閉し、本体部２Ａの後側を開く。
【００２６】
本体部２Ａは、ポット蓋６Ａが出し入れされるポット蓋開口部２４Ａを開閉するシャッタ２６を備える。シャッタ２６は、ポット蓋駆動機構７Ａの動作によるポット蓋６Ａの開閉動作に連動してポット蓋開口部２４Ａを開閉し、ポット蓋６Ａが開位置に移動すると、ポット蓋開口部２４Ａを閉じる。
【００２７】
便座３Ａは、支持部材２１Ａで本体部２Ａに支持された貯留ポット５Ａに合わせて開口部３０Ａが位置するように、支持部材２１Ａの上側で本体部２Ａに取り付けられる。
【００２８】
便座３Ａは、後端側に設けた軸３１Ａにより本体部２Ａに対して回動動作で開閉可能に支持され、軸３１Ａを支点とした回動動作で閉位置とすると、開口部３０Ａが貯留ポット５Ａと対向する閉じた状態となると共に、貯留ポット５Ａとの間に開閉空間２３Ａが形成される。また、前端側を持ち上げるようにする回動動作で開位置とすると、貯留ポット５Ａの上方を開くことが可能である。
【００２９】
座面部４Ａは、本例では分割された複数の座面を折り畳むことで、便座３Ａを開閉可能に覆う構成で、第１の座面４０Ａと、第１の座面４０Ａとヒンジ部４１Ａで回転可能に連結される第２の座面４２Ａを備え、第１の座面４０Ａが軸４３Ａで本体部２Ａに回転可能に支持される。
【００３０】
座面部４Ａは、軸４３Ａを支点とした回転動作で閉位置とすると、第１の座面４０Ａと第２の座面４２Ａが平板状に展開して便座３Ａを覆い、通常の椅子としての使用が可能となる。また、座面部４Ａは、軸４３Ａを支点にした回転動作で開位置とすると、第１の座面４０Ａと第２の座面４２Ａがヒンジ部４１Ａで折り畳まれる形態で便座３Ａの後方に退避して、便座３Ａの上方を開くことが可能である。
【００３１】
＜本実施の形態の貯留ポット及びポット蓋の構成例＞
次に、各図を参照して、本実施の形態の貯留ポット５Ａ及びポット蓋６Ａについて説明する。ここで、図４は、本実施の形態の貯留ポット及びポット蓋の一例を示すポット蓋を閉じた状態の斜視図、図５は、本実施の形態の貯留ポット及びポット蓋の一例を示すポット蓋を閉じた状態の断面図、図６は、本実施の形態の貯留ポット及びポット蓋の一例を示すポット蓋を開けた状態の斜視図である。
【００３２】
また、図７は、本実施の形態の貯留ポット及びポット蓋の一例を示すポット蓋の分解斜視図、図８は、本実施の形態の貯留ポット及びポット蓋の一例を示す貯留ポットの分解斜視図である。
【００３３】
貯留ポット５Ａは、上面に開口部５０Ａが設けられた有底状で、開口部５０Ａの外周に、外側に向かって突出したフランジ部５１Ａが設けられる。また、貯留ポット５Ａは、把持可能なハンドル部５２Ａが回動可能に設けられる。貯留ポット５Ａは、支持部材２１Ａの支持部２２Ａにフランジ部５１Ａが載る形態で、支持部材２１Ａに着脱可能に支持される。
【００３４】
また、貯留ポット５Ａは、ハンドル部５２Ａを開口部５０Ａの上方に突出させることで、ハンドル部５２Ａを把持して本体部２Ａに対する着脱が可能であると共に、ハンドル部５２Ａをフランジ部５１Ａに沿った位置に退避させることで、ポット蓋６Ａの開閉が可能である。
【００３５】
貯留ポット５Ａは、ポット蓋駆動機構７Ａの動作により開閉するポット蓋６Ａの移動経路を除く前面側と側面側のフランジ部５１Ａに、飛散防止部５３を備える。飛散防止部５３は、フランジ部５１Ａの前面側と側面側の周縁に、フランジ部５１Ａから立設される形態で一体に形成される。
【００３６】
本体部２Ａに貯留ポット５Ａが取り付けられると、開閉空間２３Ａの壁部が飛散防止部５３で覆われる。これにより、本体部２Ａに対して着脱が行い難い開閉空間２３Ａを構成する支持部材２１Ａの壁部に、汚物等が付着しないようにすることができる。貯留ポット５Ａは、本体部２Ａに対して着脱可能であり、本体部２Ａに対して支持部材２１Ａを着脱するよりも容易に本体部２Ａから着脱できるので、飛散防止部５３等の洗浄は容易である。
【００３７】
貯留ポット５Ａは、ポット蓋６Ａを閉状態で保持する磁石５４を備える。磁石５４は、ポット蓋６Ａと接するフランジ部５１Ａに設けられ、本例では、複数の磁石５４が、フランジ部５１Ａの周縁に沿って設けられる。
【００３８】
ポット蓋６Ａは、上面に設けられた把持部６０Ａと、貯留ポット５Ａの開口部５０Ａの形状に合わせた嵌合凸部６１Ａと、嵌合凸部６１Ａの外周から外側に向かって突出したフランジ部６２Ａと、ポット蓋駆動機構７Ａから駆動力を受けると共に、ポット蓋駆動機構７Ａと係脱する駆動力受け部６３Ａを備える。
【００３９】
ポット蓋６Ａは、把持部６０Ａを持つことで、人手による貯留ポット５Ａに対する着脱が可能である。また、ポット蓋６Ａは、貯留ポット５Ａの開口部５０Ａに嵌合凸部６１Ａが嵌まることで、フランジ部６２Ａが貯留ポット５Ａのフランジ部５１Ａに載り、貯留ポット５Ａに取り付けられる。
【００４０】
駆動力受け部６３Ａは駆動力受け手段の一例で、ポット蓋６Ａが貯留ポット５Ａに取り付けられた状態で、貯留ポット５Ａの外側に突出したフランジ部６２Ａに設けられる。駆動力受け部６３Ａの構成の詳細は後述するが、支持部材２１Ａに支持された貯留ポット５Ａにポット蓋６Ａが取り付けられると、駆動力受け部６３Ａはポット蓋駆動機構７Ａと係合し、ポット蓋駆動機構７Ａからの駆動力の伝達を受けることが可能になるよう設けられている。
【００４１】
そして、ポット蓋駆動機構７Ａの動作との協働で、貯留ポット５Ａに対してポット蓋６Ａを上下方向に移動させると共に、貯留ポット５Ａに対して上方に移動したポット蓋６Ａを前方及び後方に移動させて、ポット蓋６Ａの開閉が行われる。
【００４２】
また、ポット蓋６Ａで閉塞された貯留ポット５Ａを持ち上げる動きで、駆動力受け部６３Ａはポット蓋駆動機構７Ａと脱離し、本体部２Ａに対して貯留ポット５Ａがポット蓋６Ａと共に着脱可能となる。更に、ポット蓋６Ａを貯留ポット５Ａに対して持ち上げる動きでも、駆動力受け部６３Ａはポット蓋駆動機構７Ａと脱離し、貯留ポット５Ａに対してポット蓋６Ａが着脱可能となる。
【００４３】
ポット蓋６Ａは、貯留ポット５Ａの磁石５４で吸着される金属部材６４を備える。金属部材６４は、貯留ポット５Ａと接するフランジ部６２Ａに、磁石５４の配置に合わせた形状の金属板を設けて構成される。金属部材６４は、ポット蓋６Ａのフランジ部６２Ａの表面に、溶着等により固定する形態でも良いし、インサート成形によりフランジ部６２Ａの内側に埋め込んだ形態としても良い。
【００４４】
なお、磁石５４と金属部材６４の配設関係を相互に入れ替える構成としても良く、貯留ポット５Ａのフランジ部５１Ａに金属部材を設けると共に、ポット蓋６Ａのフランジ部６２Ａに磁石を設ける構成としても良い。また、ポット蓋６Ａに、金属部材６４に代えて、貯留ポット５Ａの磁石と吸引し合う磁石を設ける構成としても良い。
【００４５】
＜本実施の形態のポット蓋駆動機構の構成例＞
次に、各図を参照して、本実施の形態のポット蓋駆動機構７Ａについて説明する。ここで、図９は、本実施の形態のポット蓋駆動機構の一例を示すトイレ装置の全体斜視図、図１０は、本実施の形態のポット蓋駆動機構の一例を示す側面図、図１１及び図１２は、本実施の形態のポット蓋駆動機構の一例を示す要部斜視図である。
【００４６】
ポット蓋駆動機構７Ａはポット蓋駆動手段の一例で、ポット蓋６Ａに駆動力を伝達すると共に、ポット蓋６Ａの駆動力受け部６３Ａと係脱する駆動力伝達部材７０と、座面部４Ａを開閉する動作を、駆動力伝達部材７０に伝達する駆動力伝達機構７１Ａを備える。
【００４７】
駆動力伝達機構７１Ａは操作駆動力伝達手段の一例で、駆動力伝達部材７０を移動させるラックギア７２ａを備える。また、駆動力伝達機構７１Ａは、座面部４Ａの軸４３Ａと同軸に設けられる第１のギア７３ａと、第１のギア７３ａと噛み合う第２のギア７３ｂと、第２のギア７３ｂと同軸に設けられる第１のプーリ７３ｃとを備える。
【００４８】
更に、駆動力伝達機構７１Ａは、第１のプーリ７３ｃとの間にベルト７３ｄが掛けられる第２のプーリ７３ｅと、第２のプーリ７３ｅと同軸に設けられ、ラックギア７２ａと噛み合う第３のギア７３ｆを備える。また、駆動力伝達機構７１Ａは、ベルト７３ｄに張力を与えるテンションローラ７３ｇを備える。
【００４９】
駆動力伝達部材７０は、ポット蓋６Ａが係脱される駆動力伝達部７０ａを備える。駆動力伝達部７０ａは、貯留ポット５Ａを開閉するポット蓋６Ａの移動方向に対して左右両側に設けられ、本例では、平板状の部材が上方に立設される形態で、駆動力伝達部材７０に一体で形成される。
【００５０】
駆動力伝達部材７０は、椅子部材２０Ａに設けられ、ポット蓋６Ａの移動方向に沿って前後に延在するガイド部材７４にガイドされて、前後方向に沿って移動可能に支持される。
【００５１】
駆動力伝達部材７０は、ポット蓋６Ａの移動方向に沿って前後に延在し、ガイド部材７４にガイドされるローラ等を有した図１に示す第１のガイド機構７０ｂが、前端側に設けられる。また、駆動力伝達部材７０は、ガイド部材７４の後端側にローラ等を設けて構成される第２のガイド機構７４ａによってガイドされる。これにより、駆動力伝達部材７０は、ガイド部材７４にガイドされて、前後方向に沿って移動可能に支持される。
【００５２】
ラックギア７２ａは、上面に歯部が形成され、駆動力伝達部材７０と同様にポット蓋６Ａの移動方向に沿って前後に延在する。ラックギア７２ａは駆動力伝達部材７０に取り付けられ、ガイド部材７４にガイドされる駆動力伝達部材７０により前後方向に沿って移動可能に支持される。また、ラックギア７２ａは、第２のガイド機構７４ａを構成するローラ７４ｂで、第３のギア７３ｆと対向する部位の下面側が支持される。
【００５３】
ポット蓋駆動機構７Ａでは、座面部４Ａを開閉する動作で軸４３Ａが回転し、軸４３の回転が、第１のギア７３ａから第２のギア７３ｂへ伝達され、第２のギア７３ｂと同軸の第１のプーリ７３ｃから、ベルト７３ｄを介して第２のプーリ７３ｅに伝達され、第２のプーリ７３ｅと同軸の第３のギア７３ｆに伝達される。
【００５４】
第３のギア７３ｆの回転動作は、ラックギア７２ａによって駆動力伝達部材７０の水平移動に変換され、駆動力伝達部材７０の駆動力伝達部７０ａと係止されたポット蓋６Ａが開閉する。ポット蓋駆動機構７Ａで開閉されるポット蓋６Ａは、椅子部材２０Ａの左右両側に設けられたポット蓋ガイド部材７５によって、ポット蓋６Ａの移動方向に沿って左右両側のフランジ部６２Ａがガイドされる。
【００５５】
第１のギア７３ａは、座面部４Ａの軸４３Ａと同軸に円弧状のギアが設けられ、座面部４Ａを開閉する動作によって、軸４３Ａを支点に回転する。第２のギア７３ｂは、第１のギア７３ａに対して歯数の少ないギアで構成される。また、ラックギア７２ａと噛み合う第３のギア７３ｆと同軸に設けられる第２のプーリ７３ｅは、第２のギア７３ｂと同軸に設けられる第１のプーリ７３ｃより小径に構成される。
【００５６】
これにより、座面部４Ａの回転に伴う軸４３Ａの回転量が増速され、座面部４Ａの第１の座面４０Ａを、略水平な状態と略垂直な状態との間で動かして、座面部４Ａを開閉する動作量で、ポット蓋６Ａが開閉する所定のストロークが得られるように構成される。
【００５７】
＜本実施の形態の切替機構の構成例＞
次に、各図を参照して、本実施の形態の切替機構９Ａについて説明する。
【００５８】
切替機構９Ａは、ラックギア７２ａと噛み合う第３のギア７３ｆが取り付けられたアーム９０と、アーム９０を回転させる操作レバー９１と、第３のギア７３ｆがラックギア７２ａと噛み合う方向にアーム９０を付勢するバネ９２を備える。
【００５９】
アーム９０は、椅子部材２０Ａに軸９０ａを支点として回転可能に取り付けられ、軸９０ａを支点とした回転動作で、第３のギア７３ｆがラックギア７２ａに対して離接する方向に移動する。操作レバー９１は、回転動作の支点となる軸９１ａと、軸９１ａを支点とした回転動作で変位する押上突起部９１ｂを備える。
【００６０】
切替機構９Ａでは、軸９１ａを支点とした操作レバー９１の一の方向への回転動作、本例では、操作レバー９１をトイレ装置１Ａの前側（図１０の図示状態から時計周り）に回転させる操作で、軸９１ａに設けられた押上突起部９１ｂが、アーム９０に設けられた受け部９０ｂに接し、受け部９０ｂが押上突起部９１ｂで押し上げられる。
【００６１】
切替機構９Ａでは、アーム９０の受け部９０ｂが押し上げられることで、バネ９２を圧縮しながらアーム９０が軸９０ａを支点に回転し、第３のギア７３ｆがラックギア７２ａから離れる。
【００６２】
また、切替機構９Ａでは、軸９１ａを支点とした操作レバー９１の他の方向への回転動作、本例では、操作レバー９１をトイレ装置１Ａの後側（図１０の図示状態から反時計周り）に回転させる操作で、押上突起部９１ｂが受け部９０ｂから離れることで、バネ９２の復元力でアーム９０が軸９０ａを支点に回転し、第３のギア７３ｆがラックギア７２ａに噛み合う。
【００６３】
これにより、切替機構９Ａでは、操作レバー９１の操作で、第３のギア７３ｆをラックギア７２ａに対して離接させることができ、操作レバー９１の所定の操作による切替機構９Ａの動作によって、座面部４Ａを開閉する動作をポット蓋駆動機構７Ａでポット蓋６Ａに伝達する設定と、非伝達にする設定が切り替えられる。
【００６４】
ポット蓋駆動機構７Ａでは、座面部４Ａの軸４３Ａと同軸に設けられる第１のギア７３ａから、ラックギア７２ａと噛み合う第３のギア７３ｆに駆動力を伝達する駆動力伝達機構７１Ａとして、ベルト７３ｄで駆動力を伝達している。これにより、切替機構９Ａでは、アーム９０の軸９０ａを、座面部４Ａの軸４３Ａと合わせることなく、ベルト７３ｄの撓みによりアーム９０の変位を吸収し、第３のギア７３ｆとラックギア７２ａを離接させることができ、設計の自由度が向上する。
【００６５】
切替機構９Ａは、操作レバー９１の所定の操作により、第３のギア７３ｆをラックギア７２ａに対して離接させる動作に連動させて、駆動力伝達部材７０を可動状態と非可動状態に切り替える開動作規制部材９３を備える。開動作規制部材９３は開動作規制手段の一例で、操作レバー９１の軸９１ａに設けられ、操作レバー９１の軸９１ａを支点とした回転動作で変位する。
【００６６】
切替機構９Ａでは、軸９１ａを支点として操作レバー９１を前側に回転させる操作で、第３のギア７３ｆがラックギア７２ａから離れると、駆動力伝達部材７０に設けられた開動作規制凹部７０ｃに、開動作規制部材９３が入る。これにより、座面部４Ａを開閉する動作をポット蓋６Ａに非伝達とした状態で、駆動力伝達部材７０の移動が規制される。
【００６７】
また、切替機構９Ａでは、軸９１ａを支点として操作レバー９１を後側へ回転させる操作で、第３のギア７３ｆがラックギア７２ａと噛み合うと、開動作規制凹部７０ｃから開動作規制部材９３が外れる。これにより、座面部４Ａを開閉する動作をポット蓋６Ａに伝達する状態で、ポット蓋駆動機構７Ａにより駆動力伝達部材７０の移動が可能になる。
【００６８】
＜本実施の形態の係脱機構の構成例＞
次に、各図を参照して、本実施の形態の係脱機構８Ａについて説明する。ここで、図１３は、本実施の形態の係脱機構の一例を示す要部断面図である。
【００６９】
係脱機構８Ａは係脱手段の一例で、上述した駆動力受け部６３Ａと駆動力伝達部７０ａで構成される。駆動力受け部６３Ａは、ポット蓋６Ａの後端で左右両側に、下面が開口して駆動力伝達部７０ａが挿抜可能で、かつ、駆動力受け部６３Ａの内部で駆動力伝達部７０ａがポット蓋６Ａの移動方向に沿った前後方向に所定量移動可能となる空間を設けて構成される。
【００７０】
駆動力受け部６３Ａは、ポット蓋６Ａの移動方向に沿った前側に形成される閉方向駆動力受け部８０Ａと、ポット蓋６Ａの移動方向に沿った後側で、ポット蓋６Ａの移動方向に沿って後端側に向けて下がる斜面で構成されて動作方向変換手段を構成する押し上げ部８１Ａと、ポット蓋６Ａの移動方向に沿った後側に形成され、押し上げ部８１Ａとつながる開方向駆動力受け部８２Ａを備える。
【００７１】
係脱機構８Ａは、ポット蓋６Ａ側の駆動力受け部６３Ａが、下面が開口した空間で構成されることで、ポット蓋６Ａの上下方向の動きによって、ポット蓋６Ａの駆動力受け部６３Ａが、本体部２Ａ側のポット蓋駆動機構７Ａの駆動力伝達部７０ａに挿抜される。
【００７２】
駆動力受け部６３Ａに対して駆動力伝達部７０ａが挿入されると、駆動力受け部６３Ａは駆動力伝達部７０ａに係合される。また、駆動力受け部６３Ａが駆動力伝達部７０ａから抜けると、駆動力受け部６３Ａは駆動力伝達部７０ａから脱離される。
【００７３】
これにより、ポット蓋６Ａで閉塞された貯留ポット５Ａを上下方向に動かして、貯留ポット５Ａを本体部２Ａに対して着脱する動作で、ポット蓋６Ａとポット蓋駆動機構７Ａは、駆動力受け部６３Ａと駆動力伝達部７０ａが係脱される。また、ポット蓋６Ａを上下方向に動かして、ポット蓋６Ａを貯留ポット５Ａに対して着脱する動作でも、ポット蓋６Ａとポット蓋駆動機構７Ａは、駆動力受け部６３Ａと駆動力伝達部７０ａが係脱される。
【００７４】
駆動力受け部６３Ａと駆動力伝達部７０ａが係合されると、ポット蓋駆動機構７Ａからポット蓋６Ａに駆動力が伝達可能となる。すなわち、図１３に示すように、駆動力伝達部７０ａが矢印Ｆで示す前方向に移動する動作で、駆動力受け部６３Ａの閉方向駆動力受け部８０Ａが押され、ポット蓋６Ａが閉方向に移動する。また、駆動力伝達部７０ａが矢印Ｒで示す後方向に移動する動作で、駆動力受け部６３Ａの開方向駆動力受け部８２Ａが押され、ポット蓋６Ａが開方向に移動する。
【００７５】
更に、駆動力伝達部７０ａが矢印Ｒで示す後方向に移動する動作で、駆動力伝達部７０ａで駆動力受け部６３Ａの押し上げ部８１Ａが押されると、駆動力伝達部７０ａの動きが、ポット蓋６Ａを矢印Ｕで示す上方向に押し上げる動きに変換される。
【００７６】
＜本実施の形態のポット蓋カバーの構成例＞
次に、各図を参照して、本実施の形態のポット蓋カバー２５について説明する。ここで、図１４〜図１６は、本実施の形態のポット蓋カバーの一例を示すトイレ装置の断面図である。
【００７７】
ポット蓋カバー２５は、本体部２Ａの後側、特に、ポット蓋駆動機構７Ａ等が設けられる支持部材２１Ａの下側を覆う形状で構成され、上端側の左右両側が、椅子部材２０Ａに軸２５ａを支点に回転可能に支持される。
【００７８】
ポット蓋カバー２５は、本体部２Ａに面した内側に押圧ガイド部材２５ｂを備える。押圧ガイド部材２５ｂは、本例では金属材料で構成され、ポット蓋６Ａを開閉するポット蓋駆動機構７Ａの駆動力伝達部材７０と接する。
【００７９】
ポット蓋カバー２５は、自重で垂下して本体部２Ａの後側を閉じる。図１４に示すように、ポット蓋６Ａが閉位置にある状態では、本体部２Ａの後側への突出量が少なく抑えられる。また、ポット蓋駆動機構７Ａ等の露出が抑えられる。
【００８０】
ポット蓋カバー２５は、図１５に示すように、駆動力伝達部材７０がポット蓋６Ａを開く動作をする際に、駆動力伝達部材７０に押圧ガイド部材２５ｂが押されることで、本体部２Ａの後側を開く。図１６に示すように、ポット蓋６Ａが開位置にある状態では、ポット蓋６Ａ等の上方がポット蓋カバー２５で覆われ、ポット蓋６Ａが保護される。
【００８１】
これにより、開位置にあるポット蓋６Ａに不用意な力が掛かり、ポット蓋６Ａが閉まらない状態になることを防ぐ。また、駆動力伝達部６０と駆動力受け部６３Ａが外れ、ポット蓋６Ａが閉まらない状態になることを防ぐ。
【００８２】
ポット蓋カバー２５は、ポット蓋６Ａが閉位置にある状態での開動作を規制する開動作規制部材２５ｃを備える。開動作規制部材２５ｃは、本例では、ポット蓋カバー２５と、駆動力伝達部材７０側を繋ぐ紐状の部材で構成される。
【００８３】
開動作規制部材２５ｃは、本体部２Ａの後側を閉じた状態でのポット蓋カバー２５と、ポット蓋６Ａを閉位置とした駆動力伝達部材７０との間で、２点間の距離が最も長くなり、ポット蓋６Ａを開く駆動力伝達部材７０の動きで２点間の距離が短くなる部位の間に設けられる。
【００８４】
ポット蓋カバー２５は、ポット蓋６Ａが閉位置にある状態では、開動作規制部材２５ｃによって開動作が規制され、本体部２Ａの向きを、ポット蓋カバー２５が自重で開く方向に傾けても開くことはない。
【００８５】
＜本実施の形態のシャッタの構成例＞
次に、各図を参照して、本実施の形態のシャッタ２６について説明する。ここで、図１７及び図１８は、本実施の形態のシャッタの一例を示すトイレ装置の斜視図、図１９及び図２０は、本実施の形態のシャッタの一例を示す要部断面図である。
【００８６】
シャッタ２６は、ポット蓋６Ａが出し入れされる支持部材２１のポット蓋開口部２４Ａを覆う形状で構成され、上端側の左右両側が、支持部材２１に軸２６ａを支点に回転可能に支持される。
【００８７】
シャッタ２６は、軸２６ａを支点に自重で回転して、ポット蓋開口部２４Ａを閉じると共に、ポット蓋駆動機構７Ａの動作で開位置から閉位置に移動するポット蓋６Ａに押されることで、ポット蓋開口部２４Ａを開く向きに取り付けられる。
【００８８】
シャッタ２６は、ポット蓋６Ａに押されるガイド面２６ｂを備える。ガイド面２６ｂは、軸２６ａを挟んだシャッタ２６の一の側である下端側に形成され、本体部２Ａから貯留ポット５Ａを取り外す動作によってポット蓋６Ａに押し上げられることで、シャッタ２６を開く。
【００８９】
シャッタ２６は、ポット蓋開口部２４Ａを開く所定の向きでシャッタ２６を保持する開位置保持部２６ｃを備える。開位置保持部２６ｃは、軸２６ａを挟んだシャッタ２６の他の側である上端側に突起を設けて構成され、シャッタ２６が所定の向きとなると、シャッタ２６の軸２６ａとポット蓋開口部２４Ａとの間の隙間に入ることで、シャッタ２６を開いた状態で保持する。
【００９０】
シャッタ２６は、本体部２Ａから貯留ポット５Ａを取り外す動作によってガイド面２６ｂがポット蓋６Ａに押し上げられることで、ポット蓋開口部２４Ａを開く所定の向きとなり、開位置保持部２６ｃにより開いた状態で保持される。
【００９１】
開位置保持部２６ｃにより開いた状態で保持されたシャッタ２６は、閉じる方向に力が加えられることで、開位置保持部２６ｃがシャッタ２６の軸２６ａとポット蓋開口部２４Ａとの隙間から外れ、自重で回転してポット蓋開口部２４Ａを閉じる。
【００９２】
＜本実施の形態の支持部材の構成例＞
図２１は本発明に係る支持部材２１Ａの構成例を示す斜視図であり、図２２はその平面図である。図２３は、支持部材２１Ａの前部２１Ｂに設けられたカバー部２１０の要部の構成例を示す断面図である。
【００９３】
支持部材２１Ａは、その中央部に貯留ポット５Ａの外形形状に対応した開口部２１８を有する枠形状で構成され、椅子部材２０Ａを構成する上部フレーム部に着脱可能に取り付けられる。支持部材２１Ａは、例えばプラスチック等の樹脂材料を射出成形することで複数の段差構造を有する上記枠形状に加工される。この支持部材２１Ａは、貯留ポット５Ａから周辺に飛び散った汚水を受けるための汚水受け部２１２と、支持部材２１Ａの前方側に飛び出した汚水から椅子部材２０Ａを保護するためのカバー部２１０とを有している。
【００９４】
汚水受け部２１２は、開口部２１８の開口縁部の周辺部（近傍）に設けられた平面部２１２ａと、段差部を構成する段差壁２１２ｂと、開口縁部から上方に立設された汚水塞き止め用の塞止用壁２１２ｃとから構成されている。これにより、貯留ポット５Ａから周辺部に飛び散った汚水等の排泄物を溜めることができ、ポット蓋開口部２４Ａから椅子部材２０Ａやポット蓋駆動機構７Ａ（図１等参照）に汚水が流れ込むことを防止できるようになっている。
【００９５】
カバー部２１０は、図２３に示すように、支持部材２１Ａの前部２１Ｂに設けられ、この前部２１Ｂを支持する椅子部材２０Ａの前側フレーム部２００の上面２０２及び前面２０４を覆うものである。このカバー部２１０は、前側フレーム部２００の上面２０２を覆うように延在する上面カバー部２１０ａと、この上面カバー部２１０ａの先端が前側フレーム部２００の前面２０４に沿うように折り曲げられて所定の長さだけ下方に延在する前面カバー部２１０ｂとから構成されている。前面カバー部２１０ｂの下端の長さは、少なくとも前側フレーム部２００の下端面の位置と等しくなるように選定され、前側フレーム部２００の下端面の位置よりも下方側へ突出していても良い。これにより、椅子部材２０Ａの前側フレーム部２００の上面２０２及び前面２０４を外部に露出させることなく、前側フレーム部２００の全体を被覆できるようになる。
【００９６】
ここで、従来のポータブルトイレ装置では、着座状態で排尿した際に尿等の汚水の跳ね返りにより、便座３Ａの裏面側に汚水が付着してしまう場合がある。特に、図１６に示すように、支持部材２１Ａに便座３Ａを載置した状態としていて、便座３Ａの前端部分と貯留ポット５Ａの前縁部分との間の隙間から、汚水が支持部材２１Ａの上面カバー部２１０ａや前面カバー部２１０ｂへ溢れ出すような場合に、便座３Ａの裏面側への汚れの付着が著しい。この状態で、便座３Ａの前端側を持ち上げると、便座３Ａが水平の状態から垂直方向に起立した状態となるので、便座３Ａの裏面に付着した汚水が便座３Ａの裏面を下部に向かって伝い流れ、この便座３Ａの下部に伝い流れた汚水が支持部材２１Ａの後部上面に滴下する。
【００９７】
本例では、図２１及び図２２に示すように、支持部材２１Ａの後部２１Ｃにポット蓋６Ｂを前後方向にスライドさせるためのポット蓋開口部２４Ａが設けられる。そのため、便座３Ａから支持部材２１Ａの後部上面に滴下した汚水は、支持部材２１Ａの後方に設けられたポット蓋開口部２４Ａに浸入し、その浸入した汚水がポット蓋駆動機構７Ａの部品や椅子部材の脚、床等に付着してしまい、臭いや傷みが発生するという問題がある。
【００９８】
そこで、本実施の形態では、この問題を解決するために、便座３Ａを上げたときに便座３Ａから滴下する汚水を受けるための凹部２１６を支持部材２１Ａの後部２１Ｃに設けている。図２４は、支持部材２１Ａの後部２１Ｃに設けられた凹部２１６の要部の構成例を示す断面図である。凹部２１６は、便座３Ａを開けたときに便座３Ａの下部となる便座３Ａの後部に対向した支持部材２１Ａの上面であって、その幅方向が支持部材２１Ａの後部２１Ｃの辺２１Ｓ（図２２参照）に沿うようにして設けられている。
【００９９】
また、凹部２１６は、その幅方向の長さＷ１が便座３Ａ（図２２中点線）の幅方向の長さＷ２と略同一の長さとなるように選定されると共にその断面が半円弧状に窪んだ形状とされ、ある程度の汚水が収容可能な容積となるように構成されている。なお、凹部２１６の形状は、半円弧状に限定されることはなく、汚水が溜められる形状であれば種々の形状を採用できる。
【０１００】
図２５（Ａ）及び図２５（Ｂ）は、支持部材２１Ａの凹部２１６の機能例を説明するための図である。図２５（Ａ）に示すように、トイレ装置１Ａの使用者が便座３Ａに座った状態で排尿を行う場合、尿が貯留ポット５Ａに当たって飛び跳ねると、便座３Ａの裏面に汚水Ｗとして付着する。そして、例えば貯留ポット５Ａの回収時等において便座３Ａの前側を持ち上げて起立した状態にすると、図２５（Ｂ）に示すように、便座３Ａの裏面に付着した汚水Ｗが便座３Ａの裏面を下部に向かって伝い流れ、便座３Ａの下部に伝い流れた汚水Ｗが支持部材２１Ａの後部２１Ｃに設けられた凹部２１６内に滴下する。凹部２１６に滴下した汚水Ｗはその内部に貯留される。
【０１０１】
これにより、凹部２１６内に所定量の汚水Ｗが溜まったら、凹部２１６を拭き取る等の清掃を行うことにより、凹部２１６からの尿の漏れ出しを防止することができる。その結果、便座３Ａの前側を持ち上げたときに便座３Ａの裏面に付着した汚水Ｗが支持部材２１Ａに滴下した場合でも、支持部材２１Ａの後部２１Ｃに設けた凹部２１６によって汚水Ｗを溜めることができるので、汚水Ｗがポット蓋開口部２４Ａ等に流れ出ることを防止することができる。
【０１０２】
以上説明したように、本実施の形態によれば、支持部材２１Ａの前部２１Ｂに椅子部材２０Ａの前側フレーム部２００の前面を覆う前面カバー部２１０ｂを設けたので、貯留ポット５Ａから漏れ出した汚水を前側フレーム部２００に直接触れさせることなく、また、床に流し落とす（誘導させる）ことができる。これにより、木製材料からなる前側フレーム部２００への汚水の染み込みを回避でき、前側フレーム部２００の染み込みによる臭いの発生や傷み、腐食を防止することができる。なお、トイレ装置１Ａが設置される床には通常防水シートが敷いてあるため、汚水が落ちてきたとしても畳や床に直接汚水が付着することはなく、防水シートを交換、清掃することで室内の清潔性を確保できる。
【０１０３】
また、支持部材２１Ａの後部２１Ｃに、便座３Ａの裏面から滴下した汚水Ｗを受ける凹部２１６を設けたので、便座３Ａを開いたときに滴下する汚水Ｗを凹部２１６によって貯留することができる。これにより、ポット蓋６Ａを前後方向に移動する際に使用するポット蓋開口部２４Ａに便座３Ａから滴下した汚水Ｗが流れ込むことを防止でき、ポット蓋駆動機構７Ａや椅子部材２０Ａへの汚水の染み付きを防止することができ、染み付きによる傷みや臭いの発生を防止することができる。
【０１０４】
＜本実施の形態のトイレ装置の動作例＞
次に、各図を参照して、本実施の形態のトイレ装置１Ａの動作について説明する。
【０１０５】
（ａ）トイレ装置を使う動作
図２６及び図２７は、本実施の形態のトイレ装置における切替機構の動作の一例を示す断面図、図２８及び図２９は、本実施の形態のトイレ装置の動作の一例を示す断面図である。
【０１０６】
また、図３０〜図３２は、本実施の形態のトイレ装置の動作の一例を示す斜視図、図３３〜図３５は、本実施の形態のトイレ装置の動作の一例を示す平面図である。
【０１０７】
まず、トイレ装置１Ａをトイレとして使用する動作について説明する。トイレ装置１Ａをトイレとして使用する場合は、操作レバー９１の所定の操作による切替機構９Ａの動作によって、座面部４Ａを開閉する動作をポット蓋駆動機構７Ａでポット蓋６Ａに伝達する設定とする。
【０１０８】
すなわち、切替機構９Ａでは、図２６に示すように、操作レバー９１を後側に回転させる操作で、押上突起部９１ｂが受け部９０ｂから離れ、バネ９２の復元力でアーム９０が軸９０ａを支点に回転し、第３のギア７３ｆがラックギア７２ａに噛み合う。これにより、座面部４Ａを開閉する動作が、ポット蓋駆動機構７Ａでポット蓋６Ａに伝達される設定となる。
【０１０９】
トイレ装置１Ａを使用するため、座面部４Ａを開位置とすることで、便座３Ａの上方を開く。座面部４Ａを開位置とする動作で軸４３Ａが回転し、軸４３の回転が、第１のギア７３ａから第２のギア７３ｂへ伝達され、第２のギア７３ｂと同軸の第１のプーリ７３ｃから、ベルト７３ｄを介して第２のプーリ７３ｅに伝達され、第２のプーリ７３ｅと同軸の第３のギア７３ｆに伝達される。
【０１１０】
第３のギア７３ｆの回転動作は、ラックギア７２ａによって駆動力伝達部材７０の水平移動に変換され、駆動力伝達部材７０を図１３に矢印Ｒで示す後方向に移動させる。
【０１１１】
貯留ポット５Ａの開口部５０Ａにポット蓋６Ａの嵌合凸部６１Ａが嵌まり、ポット蓋６Ａが閉位置にある状態から、駆動力伝達部材７０を矢印Ｒで示す後方向に移動させると、駆動力伝達部材７０の駆動力伝達部７０ａが駆動力受け部６３Ａの押し上げ部８１Ａに接する。
【０１１２】
駆動力伝達部材７０が矢印Ｒで示す後方向に移動する動作で、駆動力伝達部７０ａで駆動力受け部６３Ａの押し上げ部８１Ａが押されると、押し上げ部８１Ａの斜面によって、ポット蓋６Ａの後側が図１３に矢印Ｕで示す上方向に押し上げられる。
【０１１３】
ポット蓋６Ａは、金属部材６４が貯留ポット５Ａの磁石５４の磁力によって吸引されているが、駆動力伝達部７０ａで駆動力受け部６３Ａの押し上げ部８１Ａを押し上げる力の方が、磁石５４による吸引力より強い。これにより、便座３Ａの下側の開閉空間２３Ａで、ポット蓋６Ａは、嵌合凸部６１Ａの後端側が貯留ポット５Ａの開口部５０Ａから外れる高さで保持される。
【０１１４】
駆動力伝達部材７０が矢印Ｒで示す後方向に移動する動作で、駆動力伝達部７０ａが駆動力受け部６３Ａの押し上げ部８１Ａに接し、ポット蓋６Ａの後側を押し上げると、駆動力伝達部７０ａが押し上げ部８１Ａから駆動力受け部６３Ａの開方向駆動力受け部８２Ａに接する。
【０１１５】
駆動力伝達部７０ａが駆動力受け部６３Ａの開方向駆動力受け部８２Ａに接すると、駆動力伝達部材７０が矢印Ｒで示す後方向に移動する動作で開方向駆動力受け部８２Ａが駆動力伝達部７０ａに押される。
【０１１６】
上述したように、ポット蓋６Ａの後側が押し上げられ、嵌合凸部６１Ａの後端側が貯留ポット５Ａの開口部５０Ａから外れる高さで保持されているので、駆動力伝達部７０ａが後方向に移動する動作で開方向駆動力受け部８２Ａが押されると、便座３Ａの下側の開閉空間２３Ａで、ポット蓋６Ａが矢印Ｒで示す後方向である開方向に移動する。
【０１１７】
ポット蓋６Ａが矢印Ｒで示す開方向に移動を開始すると、図３１及び図３４に示すように、ポット蓋開口部２４Ａより本体部２Ａの後方に入り、図２８に示すように、ポット蓋６Ａの左右両側のフランジ部６２Ａがポット蓋ガイド部材７５でガイドされる。これにより、ポット蓋６Ａは、嵌合凸部６１Ａが貯留ポット５Ａの開口部５０Ａから外れる高さで保持されて開く方向に移動し、貯留ポット５Ａの開口部５０Ａが開く。
【０１１８】
トイレ装置１Ａは、座面部４Ａを開くと、ポット蓋６Ａが開位置まで移動する。図２９に示すように、ポット蓋６Ａが開位置まで移動すると、シャッタ２６が自重で閉じる方向に回転して、図３２及び図３５に示すように、ポット蓋開口部２４Ａが閉じられる。これにより、トイレ装置１Ａの使用時に、飛び散った汚水等がポット蓋駆動機構７Ａ内等に入り込むことを防ぐことができる。また、トイレ装置１Ａは、ポット蓋６Ａが開位置に移動する動作で、駆動力伝達部材７０に押圧ガイド部材２５ｂが押されることで、ポット蓋カバー２５が本体部２Ａの後側を開く。
【０１１９】
トイレ装置１Ａは、ポット蓋６Ａが開くことで、便座３Ａの開口部３０Ａの下に貯留ポット５Ａの開口部５０Ａが露出し、トイレとしての使用が可能となる。本例のトイレ装置１Ａでは、座面部４Ａを開く動作でポット蓋６Ａを開く構成であるので、ポット蓋６Ａを開くために、便座３Ａを開ける必要がなく、また、人手でポット蓋６Ａを持って開ける必要もないので、使用者の負担を軽減することができる。また、通常は、座面部４Ａを開けなければ、ポット蓋６Ａを閉位置にできるので、臭気が漏れることを防止できる。
【０１２０】
更に、便座３Ａの下側に開閉空間２３Ａを設けて、閉位置にある便座３Ａの下側でポット蓋６Ａを貯留ポット５Ａから押し上げた後、後側への横方向の移動でポット蓋６Ａを開ける構成とすることができる。
【０１２１】
これにより、貯留ポット５Ａの開口部５０Ａにポット蓋６Ａの嵌合凸部６１Ａが嵌まる構成であっても、ポット蓋６Ａの開閉が可能であり、ポット蓋６Ａが閉位置にある状態での臭気の漏れをより確実に防止することができる。
【０１２２】
また、トイレ装置１Ａでは、便座３Ａの下側でポット蓋６Ａが開閉動作を行う構成で、便座３Ａの開口部３０Ａを通過させてポット蓋６Ａの着脱を行うような構成とする必要がない。これにより、貯留ポット５Ａの開口部５０Ａを、便座３Ａの開口部３０Ａに対して大きくすることができ、排泄物の飛散等による汚れを防止することができる。
【０１２３】
用便が終了し、座面部４Ａを閉じると、座面部４Ａを閉位置とする動作で軸４３Ａが回転し、軸４３の回転が、第１のギア７３ａから第２のギア７３ｂへ伝達され、第２のギア７３ｂと同軸の第１のプーリ７３ｃから、ベルト７３ｄを介して第２のプーリ７３ｅに伝達され、第２のプーリ７３ｅと同軸の第３のギア７３ｆに伝達される。
【０１２４】
第３のギア７３ｆの回転動作は、ラックギア７２ａによって駆動力伝達部材７０の水平移動に変換され、駆動力伝達部材７０を図１３に矢印Ｆで示す前方向に移動させる。
【０１２５】
ポット蓋６Ａが開位置にある状態から、駆動力伝達部材７０を矢印Ｆで示す前方向に移動させると、駆動力伝達部７０ａが駆動力受け部６３Ａの閉方向駆動力受け部８０Ａに接する。
【０１２６】
駆動力伝達部７０ａが駆動力受け部６３Ａの閉方向駆動力受け部８０Ａに接すると、駆動力伝達部７０ａが矢印Ｆで示す前方向に移動する動作で閉方向駆動力受け部８０Ａが押される。
【０１２７】
開位置にあるポット蓋６Ａは、左右両側のフランジ部６２Ａがポット蓋ガイド部材７５でガイドされ、嵌合凸部６１Ａが貯留ポット５Ａの開口部５０Ａから外れる高さで保持されているので、駆動力伝達部７０ａが前方向に移動する動作で閉方向駆動力受け部８０Ａが押されると、ポット蓋６Ａが矢印Ｆで示す前方向である閉方向に移動する。
【０１２８】
トイレ装置１Ａでは、開位置にあるポット蓋６Ａが矢印Ｆで示す閉方向に移動すると、ポット蓋開口部２４Ａを閉じたシャッタ２６が押されてシャッタ２６が開き、便座３Ａの下側の開閉空間２３Ａで、ポット蓋６Ａが矢印Ｆで示す閉方向に移動する。
【０１２９】
ポット蓋６Ａが閉方向に移動して、便座３Ａの下側の開閉空間２３Ａで、貯留ポット５Ａの上方まで移動すると、ポット蓋６Ａの左右両側のフランジ部６２Ａがポット蓋ガイド部材７５から外れる。駆動力伝達部７０ａが駆動力受け部６３Ａの閉方向駆動力受け部８０Ａに接する位置では、駆動力伝達部７０ａと駆動力受け部６３Ａの押し上げ部８１Ａが接しない。
【０１３０】
これにより、ポット蓋６Ａが貯留ポット５Ａの上方まで移動すると、ポット蓋６Ａが自重で下降し、貯留ポット５Ａの開口部５０Ａにポット蓋６Ａの嵌合凸部６１Ａが嵌まる。貯留ポット５Ａの開口部５０Ａにポット蓋６Ａの嵌合凸部６１Ａが嵌まると、ポット蓋６Ａのフランジ部６２Ａが貯留ポット５Ａのフランジ部５１Ａに載り、貯留ポット５Ａの磁石５４でポット蓋６Ａの金属部材６４が吸引され、貯留ポット５Ａに対してポット蓋６Ａの位置がずれることなく、貯留ポット５Ａが閉塞される。
【０１３１】
また、トイレ装置１Ａは、ポット蓋６Ａが閉位置に移動する動作で、ポット蓋カバー２５が自重で閉じ、本体部２Ａの後側が閉じられる。
【０１３２】
本例のトイレ装置１Ａでは、座面部４Ａを閉じる動作でポット蓋６Ａを閉じる構成であるので、ポット蓋６Ａを閉じるために、便座３Ａを開ける必要がなく、また、人手でポット蓋６Ａを持って閉じる必要もないので、使用者の負担を軽減することができる。
【０１３３】
（ｂ）貯留ポットの取り外し動作
図３６及び図３７は、本実施の形態のトイレ装置における切替機構の動作の一例を示す断面図、図３８〜図４０は、本実施の形態のトイレ装置における貯留ポットを取り外す動作の一例を示す断面図である。
【０１３４】
次に、各図を参照して、貯留ポット５Ａの洗浄等のため、本体部２Ａから貯留ポット５Ａを取り外す動作について説明する。本体部２Ａから貯留ポット５Ａを取り外す場合は、操作レバー９１の所定の操作による切替機構９Ａの動作によって、座面部４Ａを開閉する動作をポット蓋６Ａに非伝達にする設定とする。
【０１３５】
すなわち、切替機構９Ａでは、図３６に示すように、操作レバー９１を前側に回転させる操作で、操作レバー９１の軸９１ａに設けられた押上突起部９１ｂが、アーム９０に設けられた受け部９０ｂに接し、受け部９０ｂが押上突起部９１ｂで押し上げられることで、バネ９２を圧縮しながらアーム９０が軸９０ａを支点に回転し、第３のギア７３ｆがラックギア７２ａから離れる。これにより、座面部４Ａを開閉する動作が、ポット蓋６Ａに伝達されない設定となる。
【０１３６】
本体部２Ａから貯留ポット５Ａを取り外す場合、座面部４Ａを開位置とする。上述したように、座面部４Ａを開閉する動作が、ポット蓋６Ａに伝達されない設定とすることで、図３７に示すように、座面部４Ａを開位置としても、ポット蓋６Ａは開かない。次に、図３８に示すように、便座３Ａを開位置とすることで、支持部材２１Ａに支持された貯留ポット５Ａの上方を開く。
【０１３７】
貯留ポット５Ａは、支持部材２１Ａに支持され、ポット蓋６Ａで閉塞された状態であっても、ハンドル部５２Ａを上方に突出させることで、ハンドル部５２Ａを把持して本体部２Ａから持ち上げることが可能である。図３９に示すように、ポット蓋６Ａで閉塞された貯留ポット５Ａを持ち上げて上方向に移動させると、ポット蓋６Ａの駆動力受け部６３Ａが、本体部２Ａ側のポット蓋駆動機構７Ａの駆動力伝達部７０ａから抜け、駆動力受け部６３Ａが駆動力伝達部７０ａから脱離される。
【０１３８】
また、貯留ポット５Ａを上方向に移動させると、シャッタ２６のガイド面２６ｂがポット蓋６Ａに押されることで、シャッタ２６が開く。シャッタ２６が開いて所定の向きとなると、シャッタ２６とポット蓋開口部２４Ａとの隙間に開位置保持部２６ｃが入ることで、図４０に示すように、シャッタ２６は開いた状態で保持される。
【０１３９】
これにより、ポット蓋駆動機構７Ａでポット蓋６Ａを開閉する構成のトイレ装置１Ａで、貯留ポット５Ａの取り外しのために、ポット蓋駆動機構７Ａとポット蓋６Ａを切り離す別の操作は不要で、作業が容易に行える。また、ポット蓋開口部２４Ａを閉じるシャッタ２６を別の操作で開ける必要もない。
【０１４０】
（ｃ）貯留ポットの取り付け動作
図４１及び図４２は、本実施の形態のトイレ装置における貯留ポットを取り付ける動作の一例を示す断面図である。
【０１４１】
次に、各図を参照して、貯留ポット５Ａをトイレ装置１Ａに取り付ける動作について、予めポット蓋６Ａが取り付けられて閉塞された貯留ポット５Ａを取り付ける場合を例に説明する。
【０１４２】
上述したように、貯留ポット５Ａを本体部２Ａから取り外す動作で開いたシャッタ２６は、開位置保持部２６ｃにより開いた状態で保持されており、シャッタ２６が貯留ポット５Ａを本体部２Ａに取り付ける動作の妨げになることはない。
【０１４３】
貯留ポット５Ａは、ポット蓋６Ａで閉塞された状態であっても、ハンドル部５２Ａを上方に突出させることで、ハンドル部５２Ａを把持しての搬送、及び本体部２Ａに対する着脱が可能であり、貯留ポット５Ａを所定の向き、すなわち、ポット蓋６Ａの駆動力受け部６３Ａが後側となる向きとして、支持部材２１Ａの支持部２２Ａに嵌める。これにより、貯留ポット５Ａは、支持部２２Ａにフランジ部５１Ａが載る形態で、支持部材２１Ａに着脱可能に支持される。
【０１４４】
ポット蓋６Ａで閉塞された貯留ポット５Ａを支持部材２１Ａに取り付けると、図４１に示すように、ポット蓋６Ａの駆動力受け部６３Ａが、本体部２Ａ側のポット蓋駆動機構７Ａの駆動力伝達部７０ａに挿入され、駆動力受け部６３Ａが駆動力伝達部７０ａと係合される。
【０１４５】
これにより、ポット蓋駆動機構７Ａでポット蓋６Ａを開閉する構成のトイレ装置１Ａで、貯留ポット５Ａの取り付けのために、ポット蓋駆動機構７Ａとポット蓋６Ａを連結する別の操作は不要で、作業が容易に行える。なお、先に貯留ポット５Ａを本体部２Ａに取り付け、後でポット蓋６Ａを取り付ける場合も同様に、ポット蓋６Ａを貯留ポット５Ａに取り付けることで、駆動力受け部６３Ａが駆動力伝達部７０ａと係合される。
【０１４６】
貯留ポット５Ａとポット蓋６Ａを本体部２Ａに取り付けると、便座３Ａを閉位置とする。便座３Ａを閉じると、図４２に示すように、便座３Ａでシャッタ２６が閉じる方向の力が加えられることで、開位置保持部２６ｃがシャッタ２６とポット蓋開口部２４Ａとの隙間から外れ、シャッタ２６が自重で回転してポット蓋開口部２４Ａが閉じられる。
【０１４７】
そして、座面部４Ａを閉位置として便座３Ａを覆い、操作レバー９１を後側に回転させる操作で、座面部４Ａを開閉する動作が、ポット蓋駆動機構７Ａでポット蓋６Ａに伝達される設定としておく。これにより、座面部４Ａを開くことで、上述したようにポット蓋６Ａが開き、トイレとしての使用が可能にある。
【０１４８】
なお、本発明の技術範囲は、上述した実施形態に限定されるものではなく、本発明の趣旨を逸脱しない範囲において、上述した実施形態に種々の変更を加えたものを含む。
【０１４９】
また、使用者としては、用便行為者本人のみならず、用便行為者を介護する介護者が、用便行為に先立つ事前準備のためにトイレ装置１Ａを使用する場合や、用便行為の後に介護者がトイレ装置１Ａを清掃する場合等も、使用者として位置づけられることは詳述するまでもない。
【産業上の利用可能性】
【０１５０】
本発明は、家庭や公共施設等に設置されるトイレ装置や、屋外その他での簡易的に設置使用されたり、車載用等として使用されたりするポータブルトイレ装置や、介護用のトイレ装置に適用して極めて好適である。
【符号の説明】
【０１５１】
１Ａ・・・トイレ装置、２Ａ・・・本体部、２０Ａ・・・椅子部材、２１Ａ・・・支持部材、２１０・・・カバー部、２１６・・・凹部、２３Ａ・・・開閉空間、２４Ａ・・・ポット蓋開口部、２５・・・ポット蓋カバー、２５ａ・・・軸、２５ｂ・・・押圧ガイド部材、２５ｃ・・・開動作規制部材、２６・・・シャッタ、２６ａ・・・軸、２６ｂ・・・ガイド面、２６ｃ・・・開位置保持部、３Ａ・・・便座、３０Ａ・・・開口部、３１Ａ・・・軸、４Ａ・・・座面部、４０Ａ・・・第１の座面、４１Ａ・・・ヒンジ部、４２Ａ・・・第２の座面、４３Ａ・・・軸、５Ａ・・・貯留ポット、５０Ａ・・・開口部、６Ａ・・・ポット蓋、６３Ａ・・・駆動力受け部、７Ａ・・・ポット蓋駆動機構、７０・・・駆動力伝達部材、７０ａ・・・駆動力伝達部、７０ｂ・・・第１のガイド機構、７０ｃ・・・開動作規制凹部、７１Ａ・・・駆動力伝達機構、７２ａ・・・ラックギア、７３ａ・・・第１のギア、７３ｂ・・・第２のギア、７３ｃ・・・第１のプーリ、７３ｄ・・・ベルト、７３ｅ・・・第２のプーリ、７３ｆ・・・第３のギア、７４・・・ガイド部材、７４ａ・・・第２のガイド機構、７４ｂ・・・ローラ、７５・・・ポット蓋ガイド部材、８Ａ・・・係脱機構、９Ａ・・・切替機構、９０・・・アーム、９０ａ・・・軸、９０ｂ・・・受け部、９１・・・操作レバー、９１ａ・・・軸、９１ｂ・・・押上突起部、９２・・・バネ、９３・・・開動作規制部材
【図１】
2013116198.tif 000003
【図２】
2013116198.tif 000004
【図３】
2013116198.tif 000005
【図４】
2013116198.tif 000006
【図５】
2013116198.tif 000007
【図６】
2013116198.tif 000008
【図７】
2013116198.tif 000009
【図８】
2013116198.tif 000010
【図９】
2013116198.tif 000011
【図１０】
2013116198.tif 000012
【図１１】
2013116198.tif 000013
【図１２】
2013116198.tif 000014
【図１３】
2013116198.tif 000015
【図１４】
2013116198.tif 000016
【図１５】
2013116198.tif 000017
【図１６】
2013116198.tif 000018
【図１７】
2013116198.tif 000019
【図１８】
2013116198.tif 000020
【図１９】
2013116198.tif 000021
【図２０】
2013116198.tif 000022
【図２１】
2013116198.tif 000023
【図２２】
2013116198.tif 000024
【図２３】
2013116198.tif 000025
【図２４】
2013116198.tif 000026
【図２５】
2013116198.tif 000027
【図２６】
2013116198.tif 000028
【図２７】
2013116198.tif 000029
【図２８】
2013116198.tif 000030
【図２９】
2013116198.tif 000031
【図３０】
2013116198.tif 000032
【図３１】
2013116198.tif 000033
【図３２】
2013116198.tif 000034
【図３３】
2013116198.tif 000035
【図３４】
2013116198.tif 000036
【図３５】
2013116198.tif 000037
【図３６】
2013116198.tif 000038
【図３７】
2013116198.tif 000039
【図３８】
2013116198.tif 000040
【図３９】
2013116198.tif 000041
【図４０】
2013116198.tif 000042
【図４１】
2013116198.tif 000043
【図４２】
2013116198.tif 000044